【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
便器に洗浄水を供給するロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えたロータンクのレバー装置において、
前記スピンドル電動装置からロータンク外に延出する接続用コードを前記局部洗浄装置の背部に電気的に接続するとともに、
前記手回レバーを電気的に回動させる便器洗浄スイッチを前記局部洗浄装置操作用リモコンに設けてなり、
前記局部洗浄装置操作用リモコンの操作により前記ロータンク内のスピンドル電動装置を作動させて、便器の洗浄を行なうことを特徴とするロータンクのレバー装置。
【請求項２】
前記接続用コードの先端にピンジャックを備え、
該ピンジャックを前記局部洗浄装置の背部に設けた接続用ピンジャック挿入端子に挿入することにより前記局部洗浄装置と接続することを特徴とする請求項１記載のロータンクのレバー装置。
【請求項３】
便器に洗浄水を供給するロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えたロータンクのレバー装置において、
前記スピンドル電動装置から前記ロータンクの背面に設けた空気吸込口を通してロータンク外に延出する接続用コードを前記局部洗浄装置に電気的に接続するとともに、
前記手回レバーを電気的に回動させる便器洗浄スイッチを前記局部洗浄装置操作用リモコンに設けてなり、
前記局部洗浄装置操作用リモコンの操作により前記ロータンク内のスピンドル電動装置を作動させて、便器の洗浄を行なうことを特徴とするロータンクのレバー装置。
【請求項４】
前記スピンドル電動装置に、前記ロータンク側壁の開口よりロータンク外に突出するねじ付カラムを設け、該ねじ付カラムをロータンク外側より螺合固定するナットとスピンドル電動装置の基端部とでロータンクの外壁を挟持してスピンドル電動装置を固定することを特徴とする請求項１〜３のいずれか１項に記載のロータンクのレバー装置。
【請求項５】
前記ねじ付カラムに前記開口と略同一形状の突起を設け、この突起を前記開口に入り込ませることで前記スピンドル電動装置をロータンクに対して回転不能に係合させたことを特徴とする請求項３記載のロータンクのレバー装置。
【請求項６】
便器に洗浄水を供給するロータンクと、
該ロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えた便器洗浄装置において、
前記スピンドル電動装置からロータンク外に延出する接続用コードを前記局部洗浄装置の背部に電気的に接続するとともに、
前記手回レバーを電気的に回動させる便器洗浄スイッチを前記局部洗浄装置操作用リモコンに設けてなり、
前記局部洗浄装置操作用リモコンの操作により前記ロータンク内のスピンドル電動装置を作動させて、便器の洗浄を行なうことを特徴とする便器洗浄装置。
【請求項７】
前記接続用コードの先端にピンジャックを備え、
該ピンジャックを前記局部洗浄装置の背部に設けた接続用ピンジャック挿入端子に挿入することにより前記局部洗浄装置と接続することを特徴とする請求項６記載の便器洗浄装置。
【請求項８】
便器に洗浄水を供給するロータンクと、
該ロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、
局部洗浄装置と、
該局部洗浄装置を操作する局部洗浄装置操作用リモコンと、
を備えた便器洗浄装置において、
前記スピンドル電動装置から前記ロータンクの背面に設けた空気吸込口を通してロータンク外に延出する接続用コードを前記局部洗浄装置に電気的に接続するとともに、
前記手回レバーを電気的に回動させる便器洗浄スイッチを前記局部洗浄装置操作用リモコンに設けてなり、
前記局部洗浄装置操作用リモコンの操作により前記ロータンク内のスピンドル電動装置を作動させて、便器の洗浄を行なうことを特徴とする便器洗浄装置。
【手続補正２】
【補正対象書類名】明細書
【補正対象項目名】００１３
【補正方法】変更
【補正の内容】
【００１３】
上記課題を解決するために本出願の第一の発明は、便器に洗浄水を供給するロータンクの外側に取付けられる手回レバーと、その手回レバーの回転操作による回転若しくは内蔵するモータの回転をスピンドルに伝達する動力伝達機構を内蔵してロータンクの内部に取り付けられるスピンドル電動装置とを備えたレバー装置と、局部洗浄装置と、この局部洗浄装置を操作する局部洗浄装置操作用リモコンと、を備えたロータンクのレバー装置において、スピンドル電動装置からロータンク外に延出する接続用コードを局部洗浄装置の背部に電気的に接続するとともに、手回レバーを電気的に回動させる便器洗浄スイッチを局部洗浄装置操作用リモコンに設けてなり、前記局部洗浄装置操作用リモコンの操作により前記ロータンク内のスピンドル電動装置を作動させて、便器の洗浄を行なうものである。
その接続用コードの先端にピンジャックを備え、ピンジャックを局部洗浄装置の背部に設けた接続用ピンジャック挿入端子に挿入することにより局部洗浄装置と接続する。
【手続補正３】
【補正対象書類名】明細書
【補正対象項目名】００１４
【補正方法】変更
【補正の内容】
【００１４】
また、上記課題を解決するために本出願の第二の発明は、便器に洗浄水を供給するロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、局部洗浄装置と、該局部洗浄装置を操作する局部洗浄装置操作用リモコンと、を備えたロータンクのレバー装置において、前記スピンドル電動装置から前記ロータンクの背面に設けた空気吸込口を通してロータンク外に延出する接続用コードを前記局部洗浄装置に電気的に接続するとともに、前記手回レバーを電気的に回動させる便器洗浄スイッチを前記局部洗浄装置操作用リモコンに設けてなり、前記局部洗浄装置操作用リモコンの操作により前記ロータンク内のスピンドル電動装置を作動させて、便器の洗浄を行なうものである。
【手続補正４】
【補正対象書類名】明細書
【補正対象項目名】００１５
【補正方法】変更
【補正の内容】
【００１５】
ここで、スピンドル電動装置に、ロータンク側壁の開口よりロータンク外に突出するねじ付カラムを設け、ねじ付カラムをロータンク外側より螺合固定するナットとスピンドル電動装置の基端部とでロータンクの外壁を挟持してスピンドル電動装置を固定させてもよく、さらには、ねじ付カラムの突起をロータンクの開口に入り込ませることでスピンドル電動装置をロータンクに対して回転不能に係合させることができる。
【手続補正５】
【補正対象書類名】明細書
【補正対象項目名】００１６
【補正方法】変更
【補正の内容】
【００１６】
さらに、上記課題を解決するために本出願の第三の発明は、便器に洗浄水を供給するロータンクと、ロータンクの外側に取付けられる手回レバーと、その手回レバーの回転操作による回転若しくは内蔵するモータの回転をスピンドルに伝達する動力伝達機構を内蔵してロータンクの内部に取り付けられるスピンドル電動装置とを備えたレバー装置と、局部洗浄装置と、局部洗浄装置を操作する局部洗浄装置操作用リモコンと、を備えた便器洗浄装置において、スピンドル電動装置からロータンク外に延出する接続用コードを局部洗浄装置の背部に電気的に接続するとともに、手回レバーを電気的に回動させる便器洗浄スイッチを前記局部洗浄装置操作用リモコンに設けたものである。
また、接続用コードの先端にピンジャックを備え、ピンジャックを局部洗浄装置の背部に設けた接続用ピンジャック挿入端子に挿入することにより局部洗浄装置と接続することができる。
【手続補正６】
【補正対象書類名】明細書
【補正対象項目名】００１７
【補正方法】変更
【補正の内容】
【００１７】
さらに、上記課題を解決するために本出願の第四の発明は、便器に洗浄水を供給するロータンクと、該ロータンクの外側に取付けられる手回レバーと、該手回レバーの回転操作による回転若しくは内蔵するモータの回転をスピンドルに伝達する動力伝達機構を内蔵して前記ロータンクの内部に取り付けられるスピンドル電動装置とを備えたレバー装置と、局部洗浄装置と、該局部洗浄装置を操作する局部洗浄装置操作用リモコンと、を備えた便器洗浄装置において、前記スピンドル電動装置から前記ロータンクの背面に設けた空気吸込口を通してロータンク外に延出する接続用コードを前記局部洗浄装置に電気的に接続するとともに、前記手回レバーを電気的に回動させる便器洗浄スイッチを前記局部洗浄装置操作用リモコンに設けてなり、前記局部洗浄装置操作用リモコンの操作により前記ロータンク内のスピンドル電動装置を作動させて、便器の洗浄を行なう。
【手続補正７】
【補正対象書類名】明細書
【補正対象項目名】００３０
【補正方法】変更
【補正の内容】
【００３０】
図３に示すようにロータンクへの給水路に設けられる止水栓１３をドライバー３０を用いて右に回し閉める。次に、手回しレバー３’を回してロータンク内の水を排出する。（この工程は本来省略しても良いが、施工中にスピンドル電動装置１等を水中に誤って落とすことなどが考えられる為に行う。）
【手続補正８】
【補正対象書類名】明細書
【補正対象項目名】００３８
【補正方法】変更
【補正の内容】
【００３８】
次に図１０に示すように、スピンドル電動装置１のスピンドル１ｅの先端に玉鎖レバー５を取付ける。これは、櫛状リング７を玉鎖レバー５に設けたネック部５ａに櫛状リング７のリング部７ａを係合し、櫛状リング７中央の突起部７ｂをネック部５ａに設けた孔（図示無）及びスピンドル１ｅに設けた拘束孔１ｆに挿入することで回動不能に固定連結することで行われる。次に図１１に示すように、取り外しておいた玉鎖１５ａ，１６ａを玉鎖レバー５に取付ける。このようにしてスピンドル電動装置１はロータンク１４へ取りつけられる。その後、図１２、図１３に示すように、機能タンク１２の水に浸からない位置にコードフック８を貼付け、スピンドル電動装置１の接続用コード６をコードフック８に掛け、内カバー１０に設けた手洗管挿入孔１０ａ、手洗鉢（タンク蓋）９の背面に設けた空気吸込口９ａから接続用コード６をロータンク１４外部に取出す。図１４、図１５に示すようにロータンク１４の適所（実施例では４個所）にコードフック８を張り付け、また局部洗浄装置１８の背部に接続用ピンジャック挿入端子１８ａが設けられており、このピンジャック挿入端子１８ａに接続用コード８先端に設けたピンジャック６ａを挿入接続することで、局部洗浄装置１８とスピンドル電動装置１との電気的な結線が完了する。なお、スピンドル電動装置１の内部機構は従来と同様に内部に電動モータが備えられ、ギヤ等の動力伝達機構によりスピンドル１ｅにモータの回転力を伝達する。なお、手回しの場合にはレバー３の回転力を伝達する。このように局部洗浄装置１８と接続することで、局部洗浄装置１８操作用リモコン（図示無）に設けた便器洗浄スイッチを操作することで、レバーが電気的に回動され、便器の洗浄を行うことができる。また、レバー３を直接操作しても便器洗浄を行うことはできる。